(57)【要約】【課題】  主反射鏡焦点部に配置されるフロントフィード装置であって、多周波数バンド切替、偏波切替、コニカルスキャンの３つの機能を行う駆動系を有し、保守性に優れたフロントフィード装置、及びそのメンテナンス方法を得ることを目的とする。【解決手段】  ＰＯＬ駆動部はＰＯＬ軸ギア１８とＰＯＬ駆動モータ１８より構成される。ＸＹ駆動部はＹ軸リニアガイド２３、Ｙ軸ボールネジ２５、Ｘ軸リニアガイド２６、Ｘ軸ボールネジ、及び各ボールネジ軸に設けたモータにより構成される。ＰＯＬ駆動系アクセスパネル１４及びＸＹ駆動系アクセスパネル１５は、アンテナ装置の主反射鏡を仰角０°にして状態でフロントフィード部２の鉛直方向下面に位置する。ＰＯＬ駆動系アクセスパネル１４及びＸＹ駆動系アクセスパネル１５を取り外し、ＰＯＬ駆動系及びＸＹ駆動系のメンテナンスを行う。【選択図】        図３
2010226479.tif 000002
【特許請求の範囲】
【請求項１】
主反射鏡焦点部にステイによって支持され、複数の周波数帯のホーンを有するフロントフィード装置において、ステイに固定される固定側ベース部材と、この固定側ベース部材にＰＯＬ軸まわりに回動可能に支持されるＰＯＬ可動ベース部材と、このＰＯＬ可動ベース部材をＰＯＬ回転させるＰＯＬ駆動部と、上記ＰＯＬ可動ベース部材にＸ軸及びＹ軸方向に変位可能に支持される給電部フレームと、この給電部フレームをＸ軸およびＹ軸方向に駆動するＸＹ駆動部と、上記ＰＯＬ駆動部と上記ＸＹ駆動部とを覆い、主反射鏡方向に開口する保護カバーと、この保護カバー上の上記ＰＯＬ駆動部の付近に設けたＰＯＬ駆動系アクセスパネルと、上記保護カバー上の上記ＸＹ駆動部の付近に設けたＸＹ駆動系アクセスパネルとを備えたことを特徴とするフロントフィード装置。
【請求項２】
請求項１に記載のフロントフィード装置のメンテナンス方法であって、主反射鏡を仰角０°位置に設定する工程と、上記ＰＯＬ駆動系アクセスパネルが取り外される工程と、上記ＰＯＬ駆動部に設けたハンドル軸ユニットによりＰＯＬ回転させてＰＯＬ軸ギアに潤滑剤を塗付または噴霧する工程とを備えたことを特徴とするメンテナンス方法。
【請求項３】
請求項１に記載のフロントフィード装置のメンテナンス方法であって、主反射鏡を仰角０°位置に設定する工程と、上記ＰＯＬ駆動系アクセスパネルと上記ＸＹ駆動系アクセスパネルとが取り外される工程と、上記ＰＯＬ駆動部に設けたハンドル軸ユニットによりＰＯＬ回転させて、上記ＸＹ駆動部の駆動機構に潤滑剤を塗付または噴霧する工程とを備えたことを特徴とするメンテナンス方法。
【請求項４】
請求項１に記載のフロントフィード装置のメンテナンス方法であって、主反射鏡を仰角０°位置に設定する工程と、上記ＰＯＬ駆動系アクセスパネルと上記ＸＹ駆動系アクセスパネルとが取り外される工程と、上記ＰＯＬ駆動部に設けたハンドル軸ユニットによりＰＯＬ角度を所定角度に設定する工程と、上記給電部フレームから給電回路部を引き抜く工程とを備えたことを特徴とするメンテナンス方法。
【発明の詳細な説明】
【技術分野】
【０００１】
この発明は、複数の周波数帯の給電アンテナを搭載してＡＺ／ＥＬ駆動するアンテナのフロントフィード装置に関するもので、主として多周波数バンド切替、偏波切替、コニカルスキャンの機能を有し、保守性に優れたフロントフィード装置及びそのメンテナンス方法に関するものである。
【背景技術】
【０００２】
従来の多周波数帯を共用するアンテナ装置では、反射鏡と複数の一次放射器との間に周波数選択鏡面を設け、この周波数選択鏡面への電波の入射角を変えることができる駆動装置を用いて、一枚の周波数選択鏡面で３周波数帯以上の周波数に分波できるようにしたアンテナ装置が提案されている。（特許文献１参照）
また、ベントカセグレン方式を採用し、主反射鏡下部のカセグレン焦点部に大型の第３反射鏡と、アンテナ架台部に大型の独立給電部を設け、多周波数帯を共用するアンテナ装置を構成したものもある。
【先行技術文献】
【特許文献】
【０００３】
【特許文献１】特開２０００−３４９５４３号公報
【発明の概要】
【発明が解決しようとする課題】
【０００４】
従来の多周波数帯を共用するアンテナ装置において、周波数選択鏡面への電波入射角を変えることができる駆動装置を用いて共用給電部を設ける場合、多周波数帯共用給電部を用いるため比帯域が小さくなる。また、ベントカセグレン方式を採用すると、主反射鏡下部のカセグレン焦点部に大型の第３反射鏡と、アンテナ架台部に大型の独立給電部を設けることとなるため、アンテナ全体が大型化し、観測周波数帯に応じた周波数バンド切替装置やアンテナ駆動系への負担が大きくなってしまう。また、両方式では、いずれも大型の給電部を配置するため、多周波数バンド切替、偏波切替、コニカルスキャンの３つの動作性能を同じ駆動系にて駆動させることは困難であり、独立した３つの駆動系を設けることとなり、駆動系部分のコストが上昇するとともに、メンテナンスの繁雑化を招くという問題点があった。
【０００５】
この発明は上記のような問題点を解決するためになされたもので、主反射鏡焦点部に配置されるフロントフィード装置であって、多周波数バンド切替、偏波切替、コニカルスキャンの３つの機能を行う駆動系を有し、保守性に優れたフロントフィード装置及びそのメンテナンス方法を得ることを目的としたものである。
【課題を解決するための手段】
【０００６】
請求項１の発明に係るフロントフィード装置は、主反射鏡焦点部にステイによって支持され、複数の周波数帯のホーンを有するフロントフィード装置において、ステイに固定される固定側ベース部材と、この固定側ベース部材にＰＯＬ軸まわりに回動可能に支持されるＰＯＬ可動ベース部材と、このＰＯＬ可動ベース部材をＰＯＬ回転させるＰＯＬ駆動部と、上記ＰＯＬ可動ベース部材にＸ軸及びＹ軸方向に変位可能に支持される給電部フレームと、この給電部フレームをＸ軸およびＹ軸方向に駆動するＸＹ駆動部と、上記ＰＯＬ駆動部と上記ＸＹ駆動部とを覆い、主反射鏡方向に開口する保護カバーと、この保護カバー上の上記ＰＯＬ駆動部の付近に設けたＰＯＬ駆動系アクセスパネルと、上記保護カバー上の上記ＸＹ駆動部の付近に設けたＸＹ駆動系アクセスパネルとを備えたものである。
【０００７】
請求項２の発明に係るメンテナンス方法は、請求項１に記載のフロントフィード装置のメンテナンス方法であって、主反射鏡を仰角０°位置に設定する工程と、上記ＰＯＬ駆動系アクセスパネルが取り外される工程と、上記ＰＯＬ駆動部に設けたハンドル軸ユニットによりＰＯＬ回転させてＰＯＬ軸ギアに潤滑剤を塗付または噴霧する工程とを備ものである。
【０００８】
請求項３の発明に係るメンテナンス方法は、請求項１に記載のフロントフィード装置のメンテナンス方法であって、主反射鏡を仰角０°位置に設定する工程と、上記ＰＯＬ駆動系アクセスパネルと上記ＸＹ駆動系アクセスパネルとが取り外される工程と、上記ＰＯＬ駆動部に設けたハンドル軸ユニットによりＰＯＬ回転させて、上記ＸＹ駆動部の駆動機構に潤滑剤を塗付または噴霧する工程とを備えたものである。
【０００９】
請求項４の発明に係るメンテナンス方法は、請求項１に記載のフロントフィード装置のメンテナンス方法であって、主反射鏡を仰角０°位置に設定する工程と、上記ＰＯＬ駆動系アクセスパネルと上記ＸＹ駆動系アクセスパネルとが取り外される工程と、上記ＰＯＬ駆動部に設けたハンドル軸ユニットによりＰＯＬ角度を所定角度に設定する工程と、上記給電部フレームから給電回路部を引き抜く工程とを備えたものである。
【発明の効果】
【００１０】
この発明によれば、ＰＯＬ駆動部とＸＹ駆動部によって、バンド切替、偏波切替、コニカルスキャンを行うことができ、さらには、仰角０°位置にアンテナを設定して、フロントフィード装置に設けたアクセスパネルを取り外して開口せしめ、ＰＯＬ駆動させてフロントフィード装置のメンテナンスを行うので、メンテナンス性が良好となる。
【図面の簡単な説明】
【００１１】
【図１】この発明の実施の形態１に係るフロントフィード装置を含むアンテナ装置の全体構成図である。
【図２】フロントフィード装置を拡大した外観図である。
【図３】フロントフィード装置の断面図である。
【図４】ケーブル巻取り機構及びＰＯＬ駆動系の構成図である。
【図５】ＰＯＬ軸を回転したときのＸＹ駆動部を表わす断面図である。
【図６】着脱時の給電回路部等を表わす外観図である。
【発明を実施するための形態】
【００１２】
実施の形態１
【００１３】
以下、この発明の実施の形態１におけるフロントフィード装置及びその保守方法を図に基づいて説明する。図１はこの発明の実施の形態１に係るフロントフィード装置を含むアンテナ装置の全体構成図である。図２はフロントフィード装置を拡大した外観図である。
【００１４】
図１において、１は主反射鏡、２は主反射鏡１の焦点付近に設けたフロントフィード装置であり、フロントフィード装置２は複数のステイ３により支持されている。主反射鏡１の背面には背面小室を含むＥＬ旋回部４が設けられ、ＥＬ（迎角）回転軸５まわりに回動可能にＡＺ旋回部６上に支持されている。さらにＡＺ旋回部６はマウント部７上にＡＺ（方位角）回転軸８まわりに回動可能に支持されている。なお、ＥＬ旋回部４及びＡＺ旋回部６は、図示しないＥＬ駆動部及びＡＺ駆動部により回転駆動される。図１（ａ）は主反射鏡１の仰角を９０°にしたときのアンテナ装置状態を表わしており、図１（ｂ）は主反射鏡１の仰角を０°にしたときのアンテナ装置状態を表している。人工衛星からの電波を受けて衛星管制を行うアンテナ装置や、深宇宙からの電波を捉える望遠鏡アンテナ装置、あるいは、衛星軌道上にある複数の人工衛星からの電波をモニタして監視する電波監視アンテナ装置など、遠方からの微弱電波を受信するアンテナ装置では大型化が進んでおり、マウント部７下面からフロントフィード装置２上面までの高さは１０ｍ以上にも及ぶ。図１（ａ）のような状態では、フロントフィード装置２のメンテナンス作業性をきわめて悪いので、図１（ｂ）の状態において、フロントフィード装置２の下方に高所作業台車９を設置し、保守メンテナンス作業が行えるようにする。
【００１５】
図２において、１０はステイ３を連結するステイ座部であり、１１はステイ座部１０を固定するステイリングである。このステイリング１１をベースとしてフロントフィード装置２の機械構造が形成されるものである。１２はＰＯＬ駆動部を収納するＰＯＬ駆動系カバー、１３はＸＹ駆動部及び給電部を収納するＸＹ駆動系カバーであり、いずれのカバーもステイリング１１に取り付けられる。１４はＰＯＬ駆動系カバー１２にねじ等の締結部品により取り付けたＰＯＬ駆動系アクセスパネル、１５はＸＹ駆動系カバー１３にねじ等の締結部材により取り付けられたＸＹ駆動系アクセスパネルである。これらのカバー及びアクセスパネルは、主として野外に設置されるアンテナ装置において、フロントフィード装置２を外部環境（日射、風雨等）から保護し、駆動機構や給電部での錆の発生や塵の付着等を防ぐ。尚、ＸＹ駆動系カバー１３は主反射鏡方向には開口している。
【００１６】
図３はフロントフィード装置２の断面図である。図３において、１６はステイリング１１に固定したリング状の固定側ベース部材であり、１７は固定側ベース部材１６に軸受を介して支持されるＰＯＬ可動ベース部材である。ＰＯＬ可動ベース部材１７は主反射鏡方向の軸（図３に示すＺ軸）を中心に回動可能に支持されている。図３に示す座標系（Ｘ、Ｙ、Ｚ）は、便宜上、ＰＯＬ可動ベース部材１７中央に固定された直交座標系であり、ＰＯＬ回転により、直交する２軸（Ｘ、Ｙ）はＺ軸まわりに回転する。１８はＰＯＬ可動ベース部材１７に連結されたＰＯＬ軸ギアであり、１９はＰＯＬ駆動モータであり、ＰＯＬ駆動部は主としてＰＯＬ軸ギア１８とＰＯＬ駆動モータ１８より構成される。また、点線で示すエリア２０にはステイリング１１側とＰＯＬ可動ベース部材１７側との間の電気配線を収納しルーティングするＰＯＬ駆動用ケーブル巻取機構（後述の図４（ａ）に示す巻取り機構）が、点線で示すエリア２１にはＰＯＬ可動ベース部材１７側とＸＹステージ側との間の電気配線を収納しルーティングするＸＹ駆動用ケーブル巻取り機構（後述の図４（ｂ）に示す巻取り機構）が設けられている。２２はケーブル巻取り機構を取り付ける円筒部材であり、ＰＯＬ可動ベース部材１７に連結している。
【００１７】
さらに図３において、２３はＰＯＬ可動ベース部材１７に設けられ、Ｙ軸方向に長手方向を有するＹ軸リニアガイドであり、２４はＹ軸リニアガイド２３を介してＰＯＬ可動ベース部材１７に取り付けられたＹ軸可動ステージ、２５はＹ軸ボールネジである。２６はＹ軸可動ステージ２４に設けられ、Ｘ軸方向に長手方向を有するＸ軸リニアガイドであり、２７はＸ軸リニアガイド２６を介してＹ軸可動ステージ２４に取り付けられた給電部フレームであり、Ｙ軸可動ステージ２４と給電部フレーム２７との間には図示しないＸ軸ボールネジが設けられている。Ｙ軸ボールネジ２５及びＸ軸ボールネジのネジ軸上にはそれぞれモータが設けられ、モータを回転駆動制御することにより、Ｙ軸可動ステージ２４のＹ軸方向位置と、給電部フレーム２７のＸ軸方向位置が設定される。尚、このようなＸ軸及びＹ軸方向に並進駆動させる直動機構は、一般の他の直動機構を用いてもよい。ＸＹ駆動部は、主としてＹ軸リニアガイド２３、Ｙ軸ボールネジ２５、Ｘ軸リニアガイド２６、Ｘ軸ボールネジ、及び各ボールネジ軸に設けたモータにより構成される。
【００１８】
また、２８は給電部フレーム２７内に収納した給電回路部であり、２９は給電部フレーム２７の先端に設けた複数のホーンであり、ホーン２９は主反射鏡１に対向する。複数のホーン２９はそれぞれ周波数帯が異なっており形状・大きさは異なる。例えば、Ｌ帯ホーン、Ｓ帯ホーン、Ｃ帯ホーン、Ｋａ帯ホーン、Ｋｕ帯ホーンなどの複数のホーンで構成する。給電回路部２８は、各ホーン２９に接続される導波管、増幅器、バンドパスフィルタなどの高周波回路部品により構成されており、給電回路部２８により受信された信号は、給電回路部２８に接続された同軸ケーブルに出力され、同軸ケーブルは、ほぼＺ軸上にルーティングされて給電部フレーム２７から、Ｙ軸可動ステージ２４及びＰＯＬ可動ベース部材１７の中央部に設けた孔を貫通し、先に述べたケーブル巻取り機構内に這わせ、ステイ座部１０からステイ３へとルーティングする。
【００１９】
また、ＰＯＬ駆動系アクセスパネル１４及びＸＹ駆動系アクセスパネル１５は、図１（ｂ）の仰角０°状態で、図３に示すように、フロントフィード部２の鉛直方向下面に位置する。フロントフィード部２の下方に設置する高所作業台車９の高さを適切な高さとすることにより、高所作業台車９の作業台からＰＯＬ駆動系アクセスパネル１４及びＸＹ駆動系アクセスパネル１５の取り外しを行えるものとする。
【００２０】
図４はケーブル巻取り機構及びＰＯＬ駆動系の構成図である。図４（ａ）は図３のＡＡ断面から見たＰＯＬ駆動用ケーブル巻取機構を表わしており、図４（ｂ）は図３のＢＢ断面から見たＸＹ駆動用ケーブル巻取機構及びＰＯＬ駆動系を表わしている。図４（ａ）において、３０はＰＯＬ回転に追随するＰＯＬ用ケーブルベアであり、３１はステイリング１１側にＰＯＬ用ケーブルベア３０を連結する固定側ケーブルクランプ、３２はＰＯＬ可動ベース部材１７側にＰＯＬ用ケーブルベアを連結する可動側ケーブルクランプである。図４（ｂ）において、３３はＸ軸駆動に追随するＸＹ用ケーブルベアであり、３４はＰＯＬ可動ベース部材１７側にＸＹ用ケーブルベア３３を連結する固定側ケーブルクランプであり、３５はＹ軸可動ステージ２４側にＸＹ用ケーブルベア３３を連結する可動側ケーブルクランプである。
【００２１】
ＰＯＬ用ケーブルベア３０の可動側を、可動側ケーブルクランプ３２により円筒部材２２に取り付け、その取り付け箇所の近傍（Ｚ軸方向にオフセットした近傍の位置）において、ＸＹ用ケーブルベア３３の固定側を、固定側ケーブルクランプ３４により円筒部材２２に取り付けており、ＰＯＬ駆動とＸＹ駆動のそれぞれにおける変位に各ケーブルベアが追随する動きをする。なお、図４（ｂ）に示す可動側ケーブルクランプ３５部分は、ＸＹ駆動に合わせて、中心部分の長孔３６に沿ってＸ軸方向にのみ移動するものであるが、同種の形態としてＹ軸方向にのみ移動するものも考えられ、さらには、給電部フレーム２７に可動側ケーブルクランプ３５部分を連結すれば、可動側ケーブルクランプ３５部分は、ＸＹ駆動に合わせて、ＸＹ両軸に移動するものとすることもできる。ここで、ＸＹ駆動用巻取り機構というときには、可動側が、このようなＸ軸方向にのみ移動するもの、Ｙ軸方向にのみ移動するもの、ＸＹ両軸に移動するものを含むものとする。尚、ケーブルは図４（ａ）に示す穴を通してルーティングする。
【００２２】
図４（ｂ）におけるＰＯＬ駆動部について説明する。ＰＯＬ軸ギア１８はＰＯＬ駆動に必要なＺ軸中心の円周部分に設けられている（当然に全円周分に設けてもよい）。ＰＯＬ駆動モータ１９は固定側ベース部材１６に固定されており、このＰＯＬ駆動モータ１９の回転軸の先端にはピニオンが取り付けられている。このピニオンとＰＯＬ軸ギア１８とが噛合し、ＰＯＬ駆動モータ１９を駆動することにより、ＰＯＬ可動ベース部材１７をＺ軸まわりに回転させる。３７はＰＯＬ軸ギア１８に噛合する歯車とＰＯＬ回転を出力する出力軸とを有するハンドル軸ユニットである。図４（ｂ）に示すハンドル軸ユニットは傘歯車を２つ組み合せるなどして、ＰＯＬ駆動（Ｚ軸まわりの回転駆動）をＺ軸と直交する軸まわりの出力軸に変換する軸変換を含むものである。仰角０°位置（図１（ｂ）参照）において、ハンドル軸ユニット３７がフロントフィード部２内の鉛直方向下面側に位置するように配置し、ＰＯＬ軸ギア１８の出力軸の方向を略鉛直方向とし、軸端が略鉛直下向きに突出するように構成する。また、ＰＯＬ駆動モータ１９についてもハンドル軸ユニット３７と同様に、仰角０°位置（図１（ｂ）参照）において、フロントフィード部２内の鉛直方向下面側に位置するように配置する。この配置により図４（ｂ）に示すようにＰＯＬ駆動系アクセスパネル１４をＰＯＬ駆動部の付近に位置させる。
【００２３】
このような配置により、ＰＯＬ駆動系アクセスパネル１４を取り外すと、ＰＯＬ駆動モータ１９とハンドル軸ユニット３７が露出し、クランクハンドルなどの工具を用いてハンドル軸ユニット３７の出力軸を回転させることができる。ＰＯＬ駆動モータ１９が故障した場合の交換や、ＰＯＬ軸ギア１８の外観検査（腐蝕、割れ、磨耗などの検査）や、潤滑剤の補充などのメンテナンス作業を行うことができる。とくに、ＰＯＬ軸ギア１８は、ハンドル軸ユニット３７の出力軸を回転させて、全周に亘ってメンテナンスを行うことができる。
【００２４】
図５はＰＯＬ軸を回転したときのＸＹ駆動部を表わす断面図である。図５（ａ）はＰＯＬ角度０°における図３のＣＣ断面を、図５（ｂ）はＰＯＬ角度９０°における図３のＣＣ断面を表わしている。３８はＹ軸ボールネジ２５のネジ軸に取り付けるＹ軸モータ、３９はＸ軸ボールネジであり、４０はＸ軸ボールネジ３９のネジ軸に取り付けるＸ軸モータである。ＸＹ駆動系アクセスパネル１５は、図１（ｂ）の仰角０°状態で、図３に示すように、フロントフィード部２の鉛直方向下面に位置しており、図５（ａ）の状態でＸＹ駆動系アクセスパネル１５の付近にＹ軸ボールネジ２５及びＹ軸モータ３８が位置し、図５（ｂ）の状態でＸＹ駆動系アクセスパネル１５の付近にＸ軸ボールネジ３９及びＸ軸モータ４０が位置する。このＸＹ駆動系アクセスパネル１５を取り外すと、開口した窓からボールネジやモータへのアクセスが可能になる。具体的には、図５（ａ）に示すＰＯＬ角度０°の状態でＹ軸ボールネジ２５及びＹ軸モータ３８へのメンテナンスを、図５（ｂ）に示すＰＯＬ角度９０°の状態でＸ軸ボールネジ３９及びＸ軸モータ４０へのメンテナンスが行える。メンテナンス作業は、例えば、各モータが故障した場合の交換や、各ボールネジの外観検査（腐蝕、割れ、磨耗などの検査）や、潤滑剤の補充などの作業である。また、ＰＯＬ角度の変更は、前述のように、クランクハンドルなどの工具を用いてハンドル軸ユニット３７の出力軸を回転させて行う。
【００２５】
さらに、図５（ｂ）に示すＰＯＬ角度９０°の状態で、給電回路部２８の着脱が行える。図６は着脱時の給電回路部等を表わす外観図である。給電部フレーム２７に設けた開口部４１は、ＰＯＬ角度９０°の状態で鉛直下向きに開口する。給電部フレーム２７内部にガイドレールを設け、固定金具を緩めて給電回路部２８を鉛直下向きに引き抜き、鉛直上向きに挿入して固定金具を締めることにより、給電回路部２８の着脱をすることができる。このように給電回路部２８を着脱することにより、給電回路部２８内の高周波回路の故障や経年劣化などに伴う部品交換・修理等のメンテナンスが行えるものである。
【００２６】
ここで、フロントフィード装置２のメンテナンス方法についてまとめて説明する。まず、アンテナ装置を図１（ｂ）に示す仰角０°状態にする。高所作業台車９をフロントフィード装置２の直下に配置し、作業台の高さを設定する。ＰＯＬ駆動系アクセスパネル１４及びＸＹ駆動系アクセスパネル１５を取り外すことにより、フロントフィード装置２に作業用の開口窓ができる。ＰＯＬ駆動系アクセスパネル１４を取り外してできる開口窓から、ＰＯＬ駆動モータ１９が故障している場合にはＰＯＬ駆動モータ１９の交換を行う。ＰＯＬ軸ギア１８の外観検査（腐蝕、割れ、磨耗などの検査）を行う。また、クランクハンドルなどの工具を用いてハンドル軸ユニット３７の出力軸を回転してＰＯＬ回転せしめ、ＰＯＬ軸ギア１８に潤滑剤を塗付または噴霧する。クランクハンドルなどの工具を用いてハンドル軸ユニット３７の出力軸を回転してＰＯＬ角度０°の状態に設定する。この状態で、ＸＹ駆動系アクセスパネル１５を取り外してできる開口窓から、Ｙ軸モータ３８が故障している場合にはＹ軸モータ３８の交換を行う。Ｙ軸ボールネジ２５の外観検査（腐蝕、割れ、磨耗などの検査）を行い、Ｙ軸ボールネジ２５に潤滑剤を塗付または噴霧する。クランクハンドルなどの工具を用いてハンドル軸ユニット３７の出力軸を回転してＰＯＬ角度９０°の状態に設定する。Ｘ軸モータ４０が故障している場合にはＸ軸モータ４０の交換を行う。Ｘ軸ボールネジ３９の外観検査（腐蝕、割れ、磨耗などの検査）を行い、Ｘ軸ボールネジ３９に潤滑剤を塗付または噴霧する。さらに、ＰＯＬ角度９０°の状態で、給電回路部２８の出力異常等により修理が必要な場合には、給電回路部２８の固定金具を緩めガイドレールに沿って給電回路部２８を給電部フレーム２７から引き抜く。部品交換や修理を施した後、ガイドレールに沿って給電回路部２８を給電部フレーム２７へ挿入し固定金具を締めて固定する。
【００２７】
以上により説明したＡＺ／ＥＬ駆動の多周波数バンド共用アンテナにおいて、所要の周波数帯のホーンに切り替える多周波数バンド切替（ホーン切替）と、給電系部分をアンテナ指向軸周りに回転させ、各衛星に応じた偏波角に切り替える偏波切替と、給電系部分をアンテナ指向軸周りに回転させ、アンテナビームをコニカルに振り、各位置の受信強度により衛星方向を検出するコニカルスキャンを行う。
【００２８】
多周波数バンド切替は、複数のホーン２９のうち使用するホーンの位置が主反射鏡１の焦点位置付近となるようにＸＹ駆動部を駆動することにより行う。偏波切替はＰＯＬ駆動部を駆動して設定する。コニカルスキャンは、ＡＺ／ＥＬ駆動部によりアンテナ指向方向を所定の方向に駆動し、このＡＺ／ＥＬ駆動部により、アンテナ指向方向を特定の指向方向エリア内で大きく移動させつつ、ＸＹ駆動部により使用するホーンの位置を主反射鏡１の焦点位置近辺で小さく円形状に駆動させるものである。このようなコニカルスキャンによって、通信衛星の捕捉又は追尾、あるいは所定エリアを探索して複数の衛星からの電波放射状態の監視を行うものである。
【００２９】
以上のように構成され機能する主反射鏡焦点部に配置されるフロントフィード装置によって、多周波数バンド切替、偏波切替、コニカルスキャンを行うことができるとともに、さらに仰角０°位置にアンテナを設定し、フロントフィード装置に設けたアクセスパネルを取り外して開口せしめ、ＰＯＬ駆動しつつ点検や保守を行えるのでメンテナンス性が良好となる。
【符号の説明】
【００３０】
１  主反射鏡
２  フロントフィード装置
３  ステイ
１２  ＰＯＬ駆動系カバー
１３  ＸＹ駆動系カバー
１４  ＰＯＬ駆動系アクセスパネル
１５  ＸＹ駆動系アクセスパネル
１６  固定側ベース部材
１７  ＰＯＬ可動ベース部材
１８  ＰＯＬ軸ギア
１９  ＰＯＬ駆動モータ
２３  Ｙ軸リニアガイド
２４  Ｙ軸可動ステージ
２５  Ｙ軸ボールネジ
２６  Ｘ軸リニアガイド
２７  給電部フレーム
２８  給電回路部
２９  ホーン
３７  ハンドル軸ユニット
３８  Ｙ軸モータ
３９  Ｘ軸ボールネジ
４０  Ｘ軸モータ
【図１】
2010226479.tif 000003
【図２】
2010226479.tif 000004
【図３】
2010226479.tif 000005
【図４】
2010226479.tif 000006
【図５】
2010226479.tif 000007
【図６】
2010226479.tif 000008